(57)【要約】【課題】  開封操作が容易かつ操作に伴う毀損等がなく、当初は形成されたカートンサイズで開封・再封が出来、収納物容量が減少するのに合わせて減容化が可能で、しかも簡便に再封出来る二段階再封可能なカートンを提供する。【解決手段】  前板、天板、後板、底板および重合前板により形成される胴部と、胴部から延設された構成片で両側端を閉鎖した直方体状のカートンで、二分割される両側幅の、一側方の前板の端縁から平行な破断線等を用いて天板を開封し且つ再封する一次再封構成と、前板、天板、後板を破断線等で二分割して切除し、一方に開口部を有する減容化したカートンを形成するとともに、底板に幅方向二分割の折線と平行する折線並びに破断線等で区画形成された差込板で再封する二次再封構成とからなることを特徴とする二段階再封可能なカートン。【選択図】        図１
2008114915.tif 000002
【特許請求の範囲】
【請求項１】
連設された前板、天板、後板、底板および重合前板により形成される胴部と、該胴部両端からそれぞれ延設される耳片、側板、耳片、重合側板を重合貼着した両側部で閉鎖して直方体状に形成されるカートンであって、前記底板には胴部両側端間を分断し前記底板を横断する二次再封用折線と、該二次再封用折線から前記側板の幅に相当する距離を隔て前記二次再封用折線に平行し前記底板を横断する二次再封差込用折線と、該二次再封差込用折線から所定幅を隔て前記二次再封差込用折線に平行し前記底板を横断する二次開封差込板用破断線と、該二次開封差込板用破断線の両端と前記二次再封用折線の両端間を連結する二次開封蓋板用破断線を穿設して、それぞれ二次再封用蓋板と二次再封用差込板を区画形成し、前記二次再封用折線の延長上には、前記前板および後板をそれぞれ横断する二次開封用破断線、および重合前板を横断する重合破断線、さらに前記二次開封用破断線間で天板を横断する中央破断線が穿設され、前記天板の一側辺には天板の前後端の折線に接する側辺破断線が穿設され、該側辺破断線と前記中央破断線および前記天板の前後端の折線により一次再封用蓋板が区画形成され、前記天板に一次再封用蓋板が区画形成された側の前板の外側端縁には、略平行な２本の破断線からそれぞれ前記側辺破断線の一方端および中央破断線に連続する連繋破断線が穿設され、前記２本の破断線と連繋破断線により一次再封用差込板が区画形成された構成からなることを特徴とする二段階再封可能なカートン。
【発明の詳細な説明】
【技術分野】
【０００１】
本発明は、スナック菓子や食品を収納する紙箱に係り、詳しくは一枚のブランク板から直方体状に形成され、開封後、当初のカートンでの再封と、容量が減少する内容物に合わせて減容化したカートンでの再封との、二段階再封可能なカートンに関する。
【背景技術】
【０００２】
従来、この種の包装箱として、包装箱に収納された物品の残存量に応じて、包装箱の一部を切除し、折り曲げ、あるいは分離し、残存部分で蓋を形成するなどして容積を縮小することを特徴とする包装箱に関する発明が提案され、該特許出願に係る明細書中、実施例４として、段落００１５に、「また他の方法として、図８で示すように単純に切除し、そのまま小箱に切り替える方法がある。」と述べられ、図８に、直方体をなす包装箱の一方の小口端縁が開放し、背板からは差込板を有する蓋板が延設されるとともに、両側板に耳片をそれぞれ延設した、いわゆる差込型カートン状の包装箱が示され、図１及び段落００１０で述べられる原形の包装箱の一部を切除し、残存部分を前記構成としたものとして提案されている（例えば、特許文献１参照）。
【特許文献１】特開２００５−１６２２３４号公報
【０００３】
しかしながら、前記特許文献１に示された発明に係る包装箱は、明細書並びに図面の記載によれば、比較的平板な長方形の筒状胴部を有し、両端を胴部から延設される端板を折り曲げ貼着して閉塞する、いわゆるシールエンドカートン形式の紙箱状からなり、該紙箱状の包装箱の長手方向を、収納された物品の残存量に応じて、一部を切除、屈曲、もしくは分離し、残存部分の一部で蓋を形成して容積を縮小することを特徴とする包装箱とされているが、前記「一部を切除、屈曲、もしくは分離し、」の構成が詳細には記載されておらず、特に実施例４に関しては、前述の如く「〜、図８で示すように単純に切除し、そのまま小箱に切り替える〜」としか記載されていない。この為、図８に示された構成となすにあたって、図１のいわゆるシールエンドカートン形式の紙箱状からなる原形の包装箱の、どの構成部分をどのように切除し、折り曲げ、あるいは分離し、どの構成の残存部分の一部で蓋を形成して、容積を縮小するのかが、明瞭に開示されたものではなかった。
又、例えば前記明細書中に示される、「ミシン目」によって切除して、図８に示された形状構成を形成するとすれば、切除並びに分離に煩雑な操作と時間を要し、前記操作によって、収納された物品を毀損したり包装箱自体を破損することにより、容積を縮小して再閉鎖するという機能を損なうことも予測された。
さらに、収納される物品には、例えばキャンディー等のように、少量ずつ消費される物品もあり、使用開始当初の包装箱サイズでの保存が必要とされる場合と、収納される物品が少なくなってから、包装箱の減容化により保存することが必要となる場合の、二段階に対応できる包装箱が望まれている。
【発明の開示】
【発明が解決しようとする課題】
【０００４】
そこで、本発明の目的は、上記問題を解決するためになしたものであって、スナック菓子や食品等を収納するカートンにおいて、一枚のブランク板から直方体状に形成され、使用開始後しばらくは当初のカートンサイズでの開封および再封保存が可能で、その後の使用により内容物容量が減少するのに合わせ、特に収納する物品がほぼ半減する状態ではカートンもほぼ半減されて再封保存が可能となる、開封操作が容易で、かつ操作に伴うカートン毀損等がなく、しかも簡便に二段階の再封が可能なカートンを提供することにある。
【課題を解決するための手段】
【０００５】
上記課題を解決するため、請求項１記載の発明は、連設された前板、天板、後板、底板および重合前板により形成される胴部と、該胴部両端からそれぞれ延設される耳片、側板、耳片、重合側板を重合貼着した両側部で閉鎖して直方体状に形成されるカートンであって、前記底板には胴部両側端間を分断し前記底板を横断する二次再封用折線と、該二次再封用折線から前記側板の幅に相当する距離を隔て前記二次再封用折線に平行し前記底板を横断する二次再封差込用折線と、該二次再封差込用折線から所定幅を隔て前記二次再封差込用折線に平行し前記底板を横断する二次開封差込板用破断線と、該二次開封差込板用破断線の両端と前記二次再封用折線の両端間を連結する二次開封蓋板用破断線を穿設して、それぞれ二次再封用蓋板と二次再封用差込板を区画形成し、前記二次再封用折線の延長上には、前記前板および後板をそれぞれ横断する二次開封用破断線、および重合前板を横断する重合破断線、さらに前記二次開封用破断線間で天板を横断する中央破断線が穿設され、前記天板の一側辺には天板の前後端の折線に接する側辺破断線が穿設され、該側辺破断線と前記中央破断線および前記天板の前後端の折線により一次再封用蓋板が区画形成され、前記天板に一次再封用蓋板が区画形成された側の前板の外側端縁には、略平行な２本の破断線からそれぞれ前記側辺破断線の一方端および中央破断線に連続する連繋破断線が穿設され、前記２本の破断線と連繋破断線により一次再封用差込板が区画形成された構成からなることを特徴とする二段階再封可能なカートンである。
【発明の効果】
【０００６】
本発明のカートンは、一枚のブランク板から直方体状に形成され、カートン両側端間の略半分の一方側で前板から天板に亘って破断線等を用いた開口並びに再封の構成を設けると共に、さらに前板、後板および底板に破断線を用いた分割並びに再封の構成を設けたので、使用開始後しばらくは当初のカートンサイズでの開封および再封保存が可能で、その後の使用により内容物容量が減少するのに合わせ、特に収納する物品がほぼ半減する状態ではカートンもほぼ半減されて再封保存が可能となり、二段階の再封が可能となる効果を有する。
【０００７】
前述の如く、内容物容量の減少後は、カートンの一部を破断および分離することにより、残存部分が減容量の保存カートンとなり、再閉鎖にあたっては、底板に形成された蓋板および差込板の折り曲げ操作による差し込みという簡便な操作によって行なうことができる。上記減容化の効果は、開封後のカートンの保存・収納スペース、例えば冷蔵庫内での効率的収納を図れ、或いは持ち運びや移送の際のスペースを少なくすることが出来る点にあり、例えば減容化できない大きなカートンの中での揺動による菓子等の収納物品の破損を、タイトに再包装することで揺動を抑えて防ぐことができる。
【発明を実施するための最良の形態】
【０００８】
上記本発明について、図面等を用いて以下に詳述する。図１は本発明に係る二段階再封可能なカートンの実施例のブランク状態を示す展開平面図。図２は同じく実施例の組立完了状態を示す説明用斜視図。図３は同じく実施例の一次開封状態を示す説明用斜視図。図４は同じく実施例の一次再封完了の状態を示す説明用斜視図。図５は同じく実施例の二次開封完了状態を示す説明用斜視図。図６は同じく実施例の二次再封完了状態を示す説明用斜視図である。
【０００９】
図１は本発明に係る二段階再封可能なカートンの実施例のブランク状態を示す展開平面図であって、板紙等シート材を打抜き加工して形成されるブランクＰは、折線Ｌ１、Ｌ２、Ｌ３、Ｌ４を介して前板１、天板２、後板３、底板４、重合前板５を順に連設し、前板１、後板３の両側端には折線Ｌ５、Ｌ７、Ｌ９、Ｌ１１を介してそれぞれ耳片６、１０、７、１１を連設し、天板２の両側端には折線Ｌ６（一部側辺破断線Ｌ１７）、Ｌ１０を介してそれぞれ側板８、９を連設し、底板４の両側端には折線Ｌ８、Ｌ１２を介してそれぞれ重合側板１２、１３を連設している。
底板４の一側端から両側端間の距離を略二分する位置に二次再封用折線Ｌ３０が刻設され、さらに前記二次再封用折線Ｌ３０に平行で側板の幅に相当する位置に二次再封差込用折線Ｌ２９が刻設され、前記二次再封用折線Ｌ３０と二次再封差込用折線Ｌ２９の両端間にはそれぞれ二次開封蓋板用破断線Ｌ２４、Ｌ２５が穿設されて、前記両折線間に二次再封用蓋板ｄが区画形成され、ついで前記二次再封差込用折線Ｌ２９に平行で所定寸法を隔てた位置に両端に中央向きの斜辺破断線Ｌ２６、Ｌ２７を有する破断線Ｌ２８が穿設され、さらに前記二次開封蓋板用破断線Ｌ２４とＬ２５のそれぞれの延設部分とにより、前記二次再封差込用横折線Ｌ２９と前記破断線Ｌ２８間に差込板ｃが区画形成されている。
前記二次再封用折線Ｌ３０の延長線上で、前板１および後板３をそれぞれ横断する二次開封用破断線Ｌ２１およびＬ２２、重合前板５を横断する重合破断線Ｌ２３、さらに前記二次開封用破断線Ｌ２１およびＬ２２間で天板２を横断する中央破断線Ｌ１８が穿設されている。天板２の側板８側の一側辺には両端を内向きの弧状破断線Ｌ１９およびＬ２０でそれぞれ折線Ｌ１およびＬ２に接する側辺破断線Ｌ１７が穿設されており、該側辺破断線Ｌ１７と前記中央破断線Ｌ１８および折線Ｌ１、Ｌ２により前記天板２上に一次再封用蓋板ｂが区画形成されている。
前記二次開封用破断線Ｌ２１から耳片６寄りの前板１には、外側端縁の中央部近傍に穿設された略平行な２本の破断線Ｌ１３およびＬ１４からそれぞれ前記弧状破断線Ｌ１９および中央破断線Ｌ１８に連続するやや外向きに湾曲した連繋破断線Ｌ１５およびＬ１６が穿設されて一次再封用差込板ａが区画形成されている。
尚、重合前板５の所定位置には前記一次再封用差込板ａの差込部、すなわち前記前板１の外側端縁の中央近傍に穿設された略平行な２本の破断線Ｌ１３およびＬ１４によって形成される差込部が差し込まれる一次再封用差込溝ｅが穿設されている。
【００１０】
図２は実施例の組立完了状態を示す説明用斜視図で、前述のブランクＰからの組立に際して、先ず折線Ｌ１およびＬ３を用いて折り曲げ、重合前板５と側板１の貼着により接続を行い平板な筒状を形成する。次に折線Ｌ１、Ｌ２、Ｌ３、Ｌ４を用いて紙箱を角筒状に起立させ、次いで一方の側端例えば耳片７、１１、重合側板１３、側板９を折線Ｌ９、Ｌ１１、Ｌ１２、Ｌ１０を用いて順に折り立て、所定位置を貼着して一方の側端部を閉鎖形成する。次いでスナック菓子等の内容物を収納した後、耳片６、１０、重合側板１２、側板８を折線Ｌ５、Ｌ７、Ｌ８、Ｌ６を用いて順に折り立て、所定位置を貼着し他方の側端部を閉鎖形成して組立を完了する。
【００１１】
図３は実施例の一次開封状態を示す説明用斜視図で、図２のように組立を完了したカートンの前板１から一次再封用差込板ａの端縁を起点とし、略平行な２本の破断線Ｌ１３およびＬ１４からそれぞれ連繋破断線Ｌ１５およびＬ１６を経由し、さらに両端に弧状破断線Ｌ１９とＬ２０を有する側辺破断線Ｌ１７および直線状の中央破断線Ｌ１８を破断して、折線Ｌ２を用いて一次再封用蓋板ａを開放して一次開封を完了した状態である。このとき、収納されている物品が一部露出するが、図では省略した。
図４は実施例の一次再封完了の状態を示す説明用斜視図で、図３のように開封されたカートンの一次再封用蓋板ｂで開口部を被覆すると共に、一次再封用差込板ｂの差込部を重合前板５に穿設した一次再封用差込溝ｅに差し込んで一次再封を完了した状態である。
【００１２】
図５は実施例の二次開封完了状態を示す説明用斜視図で、図３の一次開封の状態から、前板１の二次開封用破断線Ｌ２１および重合前板５の重合破断線Ｌ２３を破断し、次いで二次開封蓋板用破断線Ｌ２５から斜辺破断線Ｌ２７、二次開封差込板用破断線Ｌ２８、斜辺破断線Ｌ２６、二次開封蓋板用破断線２４を順次破断して、カートンの一方すなわち一次再封部分を切除した状態を示している。このときも収納されている物品が一部露出するが、図では省略した。
【００１３】
図６は実施例の二次再封完了状態を示す説明用斜視図で、減容化した保存する物品を収納し、蓋板ｄ、差込板ｃをそれぞれ二次再封用折線Ｌ３０、二次再封差込用折線Ｌ２９を用いて折り曲げながら、差込板ｃをカートン内に差し込んで二次再封を完了する。
【図面の簡単な説明】
【００１４】
【図１】本発明に係る二段階再封可能なカートンの実施例のブランク状態を示す展開平面図。
【図２】同じく実施例の組立完了状態を示す説明用斜視図。
【図３】同じく実施例の一次開封状態を示す説明用斜視図。
【図４】同じく実施例の一次再封完了の状態を示す説明用斜視図。
【図５】同じく実施例の二次開封完了状態を示す説明用斜視図。
【図６】同じく実施例の二次再封完了状態を示す説明用斜視図。
【符号の説明】
【００１５】
Ｐ                ブランク
１                前板
２                天板
３                後板
４                底板
５                重合前板
６、７、１０、１１    耳片
８、９            側板
１２、１３        重合側板
ａ                一次再封用差込板
ｂ                一次再封用蓋板
ｃ                二次再封用差込板
ｄ                二次再封用蓋板
ｅ                一次再封用差込溝
Ｌ１〜Ｌ１２        折線
Ｌ１３、Ｌ１４      破断線
Ｌ１５、Ｌ１６      連繋破断線
Ｌ１７              側辺破断線
Ｌ１８              中央破断線
Ｌ１９、Ｌ２０      弧状破断線
Ｌ２１、Ｌ２２      二次開封用破断線
Ｌ２３              重合破断線
Ｌ２４、Ｌ２５      二次開封蓋板用破断線
Ｌ２６、Ｌ２７      斜辺破断線
Ｌ２８              二次開封差込板用破断線
Ｌ２９              二次再封差込用折線
Ｌ３０              二次再封用折線
【図１】
2008114915.tif 000003
【図２】
2008114915.tif 000004
【図３】
2008114915.tif 000005
【図４】
2008114915.tif 000006
【図５】
2008114915.tif 000007
【図６】
2008114915.tif 000008